(57)【特許請求の範囲】
【請求項１】
水平な鉄骨と、この水平な鉄骨の端部に結合して立設された第１の鉄骨柱と、前記水平な鉄骨上に立設された第２の鉄骨柱とを備えた建造物の鉄骨柱の基礎であって、前記第１の鉄骨柱の下端部を前記水平な鉄骨の下方まで延出させ、且つこの下端部に側方へ延出する部材を結合し、前記第１の鉄骨柱及び前記第２の鉄骨柱の下端部と前記水平な鉄骨をコンクリート基礎中に埋設したことを特徴とする建造物の鉄骨柱の基礎。
【請求項２】
前記側方へ延出する部材に取り付けられて前記コンクリート基礎中に埋設されるアンカーを設けたことを特徴とする請求項１記載の建造物の鉄骨柱の基礎。
【発明の詳細な説明】
【０００１】
【発明の属する技術分野】
本発明は、ビルやマンションなどの建造物の鉄骨柱の基礎に関するものである。
【０００２】
【従来の技術】
図６は、従来の建造物の鉄骨柱の基礎の断面図である。１はコンクリート基礎であり、地中にコンクリート打ちして形成されている。ＧＬは地面である。コンクリート基礎１中には鉄筋２が配筋されている。
【０００３】
コンクリート基礎１の上面にはＨ型鋼３が配設されている。Ｈ型鋼３の下部材（下部フランジ）３ａはボルト４によりコンクリート基礎１上に固定されている。５は鉄骨柱（以下、「コラム」という）であり、フランジ状に突出するその下端部６をＨ型鋼３の水平な上部材（上部フランジ）３ｂ上に接地させ、下端部６と上部材３ｂをボルト７およびナット８により結合してＨ型鋼３上に立設されている。コラム５は、ビルやマンションなどの建造物の支柱となるものである。
【０００４】
【発明が解決しようとする課題】
しかしながら上記従来の基礎構造では、コラム５はその下端部６をボルト７およびナット８によりＨ型鋼３の上部材３ｂ上に結合し、これによりコラム５を支持・固定していたため、下端部６と上部材３ｂの結合部の強度が弱く、地震などにおいて、殊に水平方向の外力が作用すると、ボルト７やフランジ６が破断されるなどして破壊されやすかった。
【０００５】
そこで本発明は、鉄骨柱（コラム）を強固に支持できる建造物の鉄骨柱の基礎を提供することを目的とする。
【０００８】
【課題を解決するための手段】
本発明の建造物の鉄骨柱の基礎は、水平な鉄骨と、この水平な鉄骨の端部に結合して立設された第１の鉄骨柱と、前記水平な鉄骨上に立設された第２の鉄骨柱とを備えた建造物の鉄骨柱の基礎であって、前記第１の鉄骨柱の下端部を前記水平な鉄骨の下方まで延出させ、且つこの下端部に側方へ延出する部材を結合し、前記第１の鉄骨柱及び前記第２の鉄骨柱の下端部と前記水平な鉄骨をコンクリート基礎中に埋設した。
【０００９】
本発明によれば、水平な鉄骨及び第１の鉄骨柱（コラム）と第２の鉄骨柱の下端部はコンクリート基礎中に埋め込まれるので、コラムを強固に支持することができ、殊に地震時などにおける水平方向の外力に十分に対抗することができる。
【００１０】
【発明の実施の形態】
（実施の形態１）
図１は本発明の実施の形態１におけるコラムとＨ型鋼の斜視図、図２は同建造物の鉄骨柱の基礎の断面図である。
【００１１】
図１において、コラム１０は中空四角柱であり、その下端部には水平方向へ突出する板状の延出部材１１が溶接手段などにより結合されている。延出部材１１には孔部１２が複数個形成されている。鉄骨としてのＨ型鋼１３は下部材（下部フランジ）１３ａ、上部材（上部フランジ）１３ｂ、中部材１３ｃから成っており、下部材１３ａと上部材１３ｂには孔部１４、１５が複数個形成されている。
【００１２】
延出部材１１は、孔部１２を孔部１５に合致させて上部材１３ｂ上に設置され、孔部１２、１５にボルト１６を挿入し、ボルト１６の下端部からナット１７を螺入することにより、延出部材１１と上部材１３ｂは結合される。すなわち、ボルト１６とナット１７はコラム１０とＨ型鋼１３の結合手段となっている。結合手段としては、溶接手段なども適用できる。下部材１３ａの孔部１４には、棒状のアンカー１８が垂直に挿入される。
【００１３】
図２は、コラム１０をＨ型鋼１３上に立設して構築した基礎を示している。この基礎は、地中にＨ型鋼１３を水平に配設し、その下部材１３ａの孔部１４にアンカー１８を挿入して取り付け、上部材１３ｂ上にコラム１０を立設して上述のように延出部材１１と上部材１３ｂをボルト１６、ナット１７により結合する。そして地中に鉄筋２０を配筋し、鉄骨１３、コラム１０の下端部、アンカー１８、鉄筋２０を含むエリアにコンクリート打ちしてコンクリート基礎２１を構築する。
【００１４】
図２において、コラム１０の下端部は、Ｈ型鋼１３やアンカー１８とともにコンクリート基礎２１中に埋設されているので、延出部材１１と上部材１３ｂの結合強度はきわめて大きく、地震などの外力が作用してもコラム１０は強固な支持状態が維持される。
【００１５】
（実施の形態２）
図３は本発明の実施の形態２における建造物の鉄骨柱の基礎の断面図である。本実施の形態２の鉄骨２５は、中空四角柱２６に下部材（下部フランジ）２７と上部材（上部フランジ）２８を結合して成っている。本実施の形態２では、下部材２７と上部材２８は溶接により中空四角柱２６の下面と上面に結合されているが、ボルト、ナットなどの結合手段により結合してもよい。
【００１６】
下部材２７の孔部２９にはアンカー１８が垂直に挿入して取り付けられる。また上部材２８上にコラム１０が立設され、実施の形態１と同様に、両者はボルト１６、ナット１７などにより結合される。上記以外の他の構成は、実施の形態１と同じである。この実施の形態２も、コラム１０の下端部、鉄骨２５、アンカー１８等はコンクリート基礎２１中に埋設されているので、コラム１０の下端部と上部材２８の結合強度はきわめて大きく、地震などの外力が作用してもコラム１０は強固な支持状態が維持される。
【００１７】
（実施の形態３）
図４は本発明の実施の形態３におけるコンクリート基礎中に構築される鉄骨構造物の斜視図、図５は同建造物の鉄骨柱の基礎の断面図である。
【００１８】
３０はＨ型鋼から成る水平な鉄骨であり、その端部には第１のコラム３１が垂直に立設されている。第１のコラム３１は中空四角柱であり、ボルト、ナットや溶接手段などにより水平な鉄骨３０の端部に結合されている。第１のコラム３１の下端部は水平な鉄骨３０の下方まで延出しており、この下端部には鉄板などから成る水平に側方へ延出する板状の部材３２が溶接手段などにより結合されている。部材３２は第１のコラム３１の側方へフランジ状に延出しており、この延出部に複数個の孔部３３が開口されている。各孔部３３にはアンカー３４が垂直に挿入される。
【００１９】
水平な鉄骨３０の中間部上面には第２のコラム３５が垂直に立設されている。第２のコラム３５も中空四角柱であり、その下端部にはフランジ３６が結合されている。フランジ３６はボルト３７とナット３８や溶接手段などの結合手段により水平な鉄骨３０上に結合されている。第２のコラム３５の直下における水平な鉄骨３０の上部材と下部材の間には、鉄板などから成る補強部材３９が設けられている。４０は三角形板状の補強部材であり、第１のコラム３１及び第２のコラム３５の側面と水平な鉄骨３０の上面に接合溶接手段やボルトナットなどの結合手段によりして結合されている。
【００２０】
図５に示すように、水平な鉄骨３０及び第１のコラム３１と第２のコラム３５の下端部、アンカー３４等はコンクリート基礎４１中に埋設されるので、地震などの外力に対しても、十分な強度とコラム３１、３５の支持状態を確保できる。図５において、コンクリート基礎４１中の鉄筋は省略している。
【００２１】
【発明の効果】
以上説明したように本発明によれば、水平な鉄骨及び第１の鉄骨柱（コラム）と第２の鉄骨柱の下端部はコンクリート基礎中に埋め込まれているので、コラムを強固に支持することができ、殊に地震時などにおける水平方向の外力に十分に対抗することができる。またアンカーを設けることにより、鉄骨柱をより強固に固定できる。
【図面の簡単な説明】
【図１】本発明の実施の形態１におけるコラムとＨ型鋼の斜視図
【図２】本発明の実施の形態１における建造物の鉄骨柱の基礎の断面図
【図３】本発明の実施の形態２における建造物の鉄骨柱の基礎の断面図
【図４】本発明の実施の形態３におけるコンクリート基礎中に構築される鉄骨構造の斜視図
【図５】本発明の実施の形態３における建造物の鉄骨柱の基礎の断面図
【図６】従来の建造物の鉄骨柱の基礎の断面図
【符号の説明】
１０  コラム（鉄骨柱）
１１  延出部材
１３，２５  鉄骨（Ｈ型鋼）
１３ａ，２７  下部材
１３ｂ，２８  上部材
１８，３４  アンカー
２１，４１  コンクリート基礎
３０  水平な鉄骨
３１  第１のコラム
３２  側方へ延出する部材
３５  第２のコラム
【図１】
0003650097.tif 000002
【図２】
0003650097.tif 000003
【図３】
0003650097.tif 000004
【図４】
0003650097.tif 000005
【図５】
0003650097.tif 000006
【図６】
0003650097.tif 000007